(57)【要約】【課題】光学ヘッドにより光学媒体との間でデータを読み書きするシステムにおいて、データ記憶密度がさらに高く、かつデータ転送速度がさらに速いシステムを提供する。【解決手段】アレイベース光学ヘッド２００が、光学媒体２３４に対して読出しおよび／または書込み動作を行うように構成される。１つの実施形態では、偏光ビームスプリッタ２０６が、レーザ光を光学媒体２３４に誘導するように構成される。光検出器アレイ２１２が、光学媒体２３４上の格子パターン１０２からの反射によって変調された光を受光し（５０４）、変調された光に対応する出力信号を生成するように構成される。【選択図】図２
2006107718.tif 000002
【特許請求の範囲】
【請求項１】
レーザからの光を光学媒体に誘導するように構成された偏光ビームスプリッタと、
前記光学媒体上の格子パターンから反射されることによって変調された光を受光し、該変調された光に対応する出力信号を生成する光検出器アレイと、
を備えている、アレイベース光学ヘッド。
【請求項２】
書込みモード中に、前記偏光ビームスプリッタからの光を受光し、変調された光を前記偏光ビームスプリッタに戻すように構成されたデジタル光プロセッサアレイをさらに備えている、請求項１に記載のアレイベース光学ヘッド。
【請求項３】
前記偏光ビームスプリッタと前記デジタル光プロセッサアレイとの間を移動する光の偏光を回転させるための４分の１波長板と、
前記偏光ビームスプリッタと前記光学媒体との間を移動する光の偏光を回転させるための４分の１波長板と、
をさらに備えている、請求項１に記載のアレイベース光学ヘッド。
【請求項４】
アレイベース光学ヘッドと、
光学媒体上の格子データパターンと、
前記格子データパターンが前記アレイベース光学ヘッドと位置合わせされているときに前記アレイベース光学ヘッド内のレーザをオンに切り替え、前記格子データパターンが前記アレイベース光学ヘッドと位置合わせされていないとき、前記レーザをオフに切り替えるためのレーザコントローラと、
を備えている、光学システム。
【請求項５】
前記アレイベース光学ヘッドが、
前記光学システムが書込みモードにあるときに、光を変調するように構成されたデジタル光プロセッサアレイ、
を備えている、請求項４に記載の光学システム。
【請求項６】
前記アレイベース光学ヘッドが、
前記光学システムが読出しモードにあるときに、前記光学媒体と接触して変調された後の光を受光するとともに出力信号を生成するための光検出器アレイ、
を備えている、請求項４に記載の光学システム。
【請求項７】
前記光学媒体の動きに合わせて、デジタル光プロセッサアレイを動作させて、前記光学媒体上に格子データパターンを書き込むためのデジタル光プロセッサアレイコントローラ、
をさらに備えている、請求項４に記載の光学システム。
【請求項８】
データを読み出すための方法であって、
光学媒体上に格子光学データパターンが画定された場所とアレイベース光学ヘッドとを位置合わせするステップと、
前記アレイベース光学ヘッドを用いて、前記格子光学データパターンから反射された変調されたレーザパルスを受光するステップと、
前記変調されたレーザパルスを復号化してデータ信号を生成するステップと、
を含む、方法。
【請求項９】
前記受光するステップが、前記変調されたレーザパルスを光検出器アレイ内に誘導するステップを含む、請求項８に記載の方法。
【請求項１０】
光学媒体上にデータを書き込むための方法であって、
格子光学データパターンが書き込まれることになる、前記光学媒体上の場所が、アレイベース光学ヘッドと位置合わせされたときに、レーザのパルスを放射するステップと、
データを符号化して、書き込まれることになる前記格子光学データパターンを決定するステップと、
前記光学媒体上に前記格子光学データパターンを書き込むために、前記符号化されたデータに従って前記レーザパルスを変調するステップと、
を含む、方法。
【請求項１１】
前記変調するステップが、
デジタル光プロセッサアレイを用いて前記レーザパルスを処理するステップ、
を含む、請求項１０に記載の方法。
【請求項１２】
前記変調するステップが、
前記変調されたレーザパルスを、偏光ビームスプリッタを通して前記光学媒体に送るステップ、
を含む、請求項１０に記載の方法。
【発明の詳細な説明】
【技術分野】
【０００１】
本発明は、一般に、光学データ記憶媒体へのデータの読み書きに用いられる光学ヘッドに関し、特に、アレイベースの光学ヘッドに関する。
【０００２】
［関連出願の相互参照］
本特許出願は、２００４年９月３０日に出願の「Ｏｐｔｉｃａｌ  Ｄａｔａ  Ｐｒｏｃｅｓｓｉｎｇ」と題する米国特許出願第１０／９５５，７０３号に関連する。
【背景技術】
【０００３】
ＣＤ（コンパクトディスク）およびＤＶＤ（デジタルビデオ（または多用途）ディスク）は大量のデジタルデータを記憶するために用いられる光ディスク記憶媒体である。通常ＣＤは、ディスクの中央付近から開始し、ディスクの端に向かって螺旋を描く、長い螺旋状のトラックを含む。無数のバンプおよび平坦領域（「ランド」）によって情報が記憶される。そのようなトラックは大量のデータ記憶を提供する。
【０００４】
上記のシステムは有効であるが、光学データ処理を改善することが望ましい。
【発明の開示】
【発明が解決しようとする課題】
【０００５】
上記のシステムは有効であるが、データ記憶密度がさらに高く、かつデータ転送速度がさらに速いことが望ましい。
【課題を解決するための手段】
【０００６】
アレイベース光学ヘッドが、光学媒体に対して読出しおよび／または書込み動作を行うように構成される。１つの実施形態では、偏光ビームスプリッタが、レーザ光を光学媒体に誘導するように構成される。光検出器アレイが、光学媒体上の格子パターンからの反射によって変調された光を受光し、変調された光に対応する出力信号を生成するように構成される。
【発明を実施するための最良の形態】
【０００７】
以下に記載される詳細な説明は添付の図面を参照する。図面では、参照番号の最も左側の数字（複数可）は、その参照番号が最初に現われる図を特定する。さらに、図面全体を通して同じ参照番号を用いて、類似の機構および構成要素を参照する。
【０００８】
アレイベース光学ヘッドは、ＣＤ（コンパクトディスク）、ＤＶＤ（デジタルビデオ（または多用途）ディスク）および他のタイプの光学データ記憶媒体で用いるようになっている。細長い螺旋状のデータ経路に沿って単一のマークを検出または形成する従来の光学読出し／書込みヘッドとは異なり、アレイベース光学ヘッドの１つの実施形態は、格子光学データパターンを読み出し、かつ書き込むように構成される。
【０００９】
図１は、アレイベース光学ヘッドで読出し／書込みを行うように構成される格子光学データパターンを画定する光学媒体１００の一例を示す。細長い螺旋状のトラックの２つの短いセグメントが示される。トラックは、光学媒体１００上に画定される複数の格子パターン１０２の配列によって形成される。各格子パターン１０２は、複数のバンプ１０４およびランド１０６を含む。２×２アレイによって形成される格子パターンが示されるが、代わりにＭ×Ｎサイズのアレイを用いることもできる。ただし、ＭおよびＮは整数であり、それらの整数は等しくすることもでき（たとえばＮ×Ｎアレイ）、ＭおよびＮのうちの少なくとも一方は２以上であることに留意されたい。一般的にアレイであることが好ましいが、格子パターンは、アレイとして構成されない一群のデータエレメントによって形成することができることに留意されたい。
【００１０】
単一のマークではなく、格子光学データパターン１０２を読み出し、かつ書き込むことによって、アレイベース光学ヘッドは、より速い読出し／書込み速度、ならびにより高い光学媒体データ密度を提供する。読出し動作はアレイベース光学ヘッド内の光検出器アレイによって助長され、それらの光検出器アレイは、格子光学データパターンからの反射によって変調された光のパターンを検出するように構成された高分解能の光学センサを提供する。書込み動作は、アレイベース光学ヘッド内のデジタル光プロセッサアレイによって助長され、それらのデジタル光プロセッサアレイは、何千個、さらには何百万個ものマイクロミラーを提供し、或るパターンに従って光を変調し、かつそのパターンが光学媒体に書き込まれるようにする。
【００１１】
図２は、アレイベース光学ヘッド２００の第１の例示的な実施形態の概略図である。アレイベース光学ヘッド２００はレーザ２０２を備える。レーザは通常、２つ以上の強度レベルを有するであろう。詳細には、低い電力の強度レベルはデータを読み出すのに適しており、一方、高い電力の強度レベルはデータを書き込む動作に適している。さらに、レーザ２０２は高速でオンおよびオフに切り替わることができるであろう。コリメーティングレンズ２０４が、レーザ２０２から出射する光を平行化するように構成される。
【００１２】
偏光ビームスプリッタ２０６が４つの光学面を有し、４つの面のうちの第１の面にはレーザ２０２があり、４つの面のうちの第２の面にはデジタル光プロセッサアレイ２０８があり、４つの面のうちの第３の面には対物レンズ２１０があり、４つの面のうちの第４の面には光検出器アレイ２１２がある。１つの実施形態では、偏光ビームスプリッタ２０６は、２つの直角三角形のプリズムから構成することができる。偏光が入射面に対して垂直であるとき、ビーム分割面２１４によって、光が９０°だけ向きを変更される（すなわち反射される）。入射面は、ビームスプリッタ２０６の表面に対して垂直な入射光線の面である。逆に、偏光が入射面に対して平行である場合、光は、反射すなわち向きを変更されることなく、偏光ビームスプリッタ２０６を素通りする。
【００１３】
デジタル光プロセッサアレイ２０８は、複数の微小ミラー（マイクロミラー）を含むアレイである。いくつかの実施形態では、デジタル光プロセッサアレイ２０８内に、何千個、何十万個、さらには何百万個ものミラーが収容される。各微小ミラーは個別にアドレス指定可能であり、光を反射して偏光ビームスプリッタ２０６に戻すように、または光を吸収体に偏向するように指示されることができる。それゆえ、デジタル光プロセッサアレイ２０８は、光を変調する際に、すなわち或る表面に接触すると格子パターンを映し出す光を生成する際に有用である。たとえば、デジタル光プロセッサアレイ２０８を偏光ビームスプリッタ２０６に対して取り付けることにより、ビームスプリッタから到来する光が各微小ミラーに概ね同じ強度で当たるようにすることができる。しかしながら、マイクロミラーの中には、光を真直ぐに反射して偏光ビームスプリッタに戻す向きにされるものもあれば、光を偏向して、偏向した光を光学ヘッド２００から実質的に消失させる方向に向けられるものもある。光の一部はシステムから偏向され、また一部は戻されるので、光は変調されるものと見なされる。こうして、変調された光は、光学媒体のような物体に当たる際に、格子パターンを生成する。個々のミラーの動作は、後にさらに詳細に示されるように、デジタル光プロセッサコントローラによって制御される。
【００１４】
対物レンズ２１０は、偏光ビームスプリッタ２０６から出射する光を光学媒体２３４上に合焦するように構成される。対物レンズ２１０はさらに、偏光ビームスプリッタ２０６に送るために、光学媒体から反射された光を合焦するように構成される。
【００１５】
光検出器アレイ２１２は、光学媒体上に画定される格子データパターンから反射されることによって変調された光のパターンを検出するように構成される。したがって、光検出器アレイ２１２の分解能は通常、光学媒体上に画定される格子データパターンの分解能以上である。
【００１６】
第１の４分の１波長板２１６が偏光ビームスプリッタ２０６とデジタル光プロセッサアレイ２０８との間に配置される。４分の１波長板２１６は、そこを両方向から通過する光波の偏光が９０°（すなわち一回転の４分の１）だけ回転するという光学的特性を有する。こうして、偏光ビームスプリッタ２０６から出射し、デジタル光プロセッサアレイ２０８から反射され、偏光ビームスプリッタ２０６に戻される光は、第１の４分の１波長板を２回通過する。したがって、第１の４分の１波長板２１６は光の偏光を構成し、偏光ビームスプリッタ２０６に戻される際に、その光が異なる条件で処理されるようにする。すなわち、光が、偏光ビームスプリッタ２０６によって最初に９０°反射され、その後、第１の４分の１波長板２１６を２回（すなわち、各方向に１回ずつ）通過する場合には、その光は、偏光ビームスプリッタ２０６を次に通過する際に、素通りするであろう。
【００１７】
第２の４分の１波長板２１８が偏光ビームスプリッタ２０６と光学レンズ２１０との間に配置される。第２の４分の１波長板２１８は第１の４分の１波長板と同じような特性を有しており、すなわちその波長板を２回通過する光の位相が９０°だけ回転する。こうして、偏光ビームスプリッタ２０６を通過し、光学媒体から反射され、偏光ビームスプリッタ２０６に戻される光は、第２の４分の１波長板２１８を２回通過する。したがって、４分の１波長板２１８は光の偏光を構成し、偏光ビームスプリッタ２０６に戻される際に、その光が異なる条件で処理されるようにする。すなわち、光が、偏光ビームスプリッタ２０６を素通りし、その後、第２の４分の１波長板２１８を通過する場合には、その光は、偏光ビームスプリッタ２０６を次に通過する際に、９０°に反射されるであろう。
【００１８】
図２を参照すると、アレイベース光学ヘッド２００の動作をさらに深く理解することができる。レーザ２０２はコリメーティングレンズ２０４を用いて、コヒーレントビーム２２０を生成する。コリメーティングレンズ２０４から出射するコヒーレントビーム２２０は、偏光ビームスプリッタ２０６に入射する。コヒーレントビーム２２０の偏光に起因して、そのビームは、ビーム分割面２１４によって、反射ビーム２２２として反射され、その反射ビームは偏光ビームスプリッタ２０６から出射して、デジタル光プロセッサアレイ２０８に向かう。
【００１９】
偏光ビームスプリッタ２０６から出射した反射光２２２は、反射光２２２の偏光を９０°だけ回転させる４分の１波長板２１６を通過する。その後、回転した光２２４は、デジタル光プロセッサアレイ２０８のマイクロミラーから反射される。デジタル信号プロセッサアレイ２０８は、読出し動作中に光を概ね反射し、書込み動作中に、書き込まれることになるデータに対応する種々のマイクロミラーパターン設定を用いて光を変調するように構成される。
【００２０】
読出し動作中に、光２２４はデジタル光プロセッサアレイ２０８の概ね全てのマイクロミラーによって反射される。反射光２２６は４分の１波長板２１６を通過し、その偏光がさらに９０°だけ回転する。その後、回転した光２２８は偏光ビームスプリッタ２０６に入射する。その光は４分の１波長板２１６を２回通過しているので、光２３０は偏光ビームスプリッタ２０６を素通りして第２の４分の１波長板２１８に達し、その偏光がさらに９０°だけ回転する。その後、回転した光２３２は、対物レンズ２１０によって、光学媒体２３４上に合焦する。
【００２１】
光学媒体２３４は、図２に示される例のように、格子データパターン（すなわち、光学媒体上に画定されるランドのバンプのようなマークのアレイ）を画定する。光がこれらの格子データパターンから反射されるとき、反射光は変調される。すなわち、反射光が平坦な表面に当たることになる場合には、結果として光学媒体上に画定される格子データパターンに相当する格子パターンが生成される。その後、反射光２３６は、レンズ２１０と、２回目の第２の４分の１波長板２１８とを通過して戻され、それによりさらに９０°だけその偏光が回転する。４分の１波長板２１８を２回通過することによって回転した後に、２回回転した光２３８は偏光ビームスプリッタ２０６に入射する。光２３８の偏光が回転しているので、偏光ビームスプリッタ２０６はその光を光検出器アレイ２１２に反射する。反射光２４０を光検出器アレイ２１２に当てることにより、光学媒体２３４から読み出されるデータを表す出力信号が生成される。
【００２２】
書込み動作中に、光２２６は、書き込まれることになるデータに応じたマイクロミラーのパターンからデジタル光プロセッサアレイ２０８によって反射される。デジタル光プロセッサアレイ２０８は、アレイ内に収容された個々のミラーが向けられる角度を個別に制御することができるように構成される。すなわち、書き込まれることになるデータに応じて、デジタル光プロセッサアレイコントローラ４０４（図４）がデジタル光プロセッサアレイ２０８に命令を送信することができ、それにより所望のミラーが光を真直ぐに反射して４分の１波長板２１６に戻し、他のミラーが光を４分の１波長板２１６から逸らしてシステム外に反射するであろう。反射光２２６は４分の１波長板２１６を通過し、それにより反射光２２６の偏光が回転する。結果として、回転した光２２８は偏光ビームスプリッタ２０６を素通りする。偏光ビームスプリッタ２０６から出射された光は、対物レンズ２１０を通過し、その後、光学媒体２３４に当たる。レーザの強度に起因して、かつ光学媒体２３４の特性に起因して、マイクロミラーパターン、およびそれに内在するデータ（マイクロミラーを設定するために用いられたデータ）に対応する格子パターン１０２（図１に示されるようなパターン）が形成される。
【００２３】
図３は、アレイベース光学ヘッド３００の第２の例示的な実施形態の概略図である。図３を調べることによって明らかなように、図２に示される構成要素を配置し直すことができるが、それでも結果として概ね同じように動作する。図２の実施形態では、光は、最初に、および３回目に偏光ビームスプリッタ２０６に入射したときに、偏光ビームスプリッタ２０６内で反射された。図３の実施形態では、光は、最初に、および３回目に偏光ビームスプリッタ２０６に入射するときに、偏光ビームスプリッタ２０６を素通りする。したがって、本明細書において教示される概念は、所望により、異なる実施形態に従って達成することができる。したがって、他の構成でも類似の最終結果をもたらすことができ、そのような構成も本明細書の範囲内にあることは理解されたい。
【００２４】
図４は、図２および／または図３の例示的な実施形態に示されるようなアレイベース光学ヘッドで用いるように構成されたアレイベース光学ヘッドコントローラ４００の一例を示すブロック図である。レーザコントローラ４０２が、レーザ２０２をオンおよびオフするように構成される。読出し動作中に、レーザはオプションでＯＮ状態のままにしておくことができるが、書込み動作中に、格子光学パターンを適用することが意図されている光学媒体上の場所に位置合わせされないときには、レーザ２０２はオフに切り替えられることが好ましい。データが光学媒体に書き込まれる書込みモード中に必要に応じて電源のオン／オフを繰り返すことにより、不適当な場所にデータが書き込まれるのを防ぐ。
【００２５】
デジタル光プロセッサアレイコントローラ４０４は、デジタル光プロセッサアレイ２０８の動作を制御するように構成される。詳細には、デジタル光プロセッサアレイコントローラ４０４は、光学媒体に書き込まれることになる入力データを処理し、デジタル光プロセッサアレイ２０８のマイクロミラーを構成するのに適したデータを表す信号を送信する。デジタル光プロセッサアレイ２０８は、デジタル光プロセッサアレイコントローラ４０４からの信号を受信すると、その信号に含まれる情報に従って、各ミラーの向きを定める。その信号に従ってミラーの向きを定めることにより、光はデジタル光プロセッサアレイ２０８によって適切に反射される。書込み動作時に、デジタル光プロセッサアレイコントローラ４０４によって、デジタル光プロセッサアレイ２０８内の選択された反射素子が、コントローラ４０４によって受信されるデータに従って光を反射する（すなわち光を変調する）。対照的に、大部分の実施形態において、読出し動作では、全てのミラーが光を反射するように向けられる。
【００２６】
光検出器アレイコントローラ４０６が、光検出器アレイコントローラ４０６によって生成される信号を解釈し、光学媒体２３４から読み出されたデータに対応するデータを生成するように構成される。
【００２７】
図５は、アレイベース光学ヘッド２００を用いて読出し動作を実行する（たとえば、光学媒体から出射するデータを読み出す）ための方法５００の一例を示す流れ図である。ブロック５０２では、光学媒体（たとえば、ＣＤまたはＤＶＤのような光ディスク）上に画定される格子光学データパターン１０２がアレイベース光学ヘッド２００と位置合わせされる。光学媒体がディスクを含む一実施形態では、格子光学データパターン１０２を画定する場所に位置合わせすることは、アレイベース光学ヘッドのディスク回転速度および径方向の場所を調整することを含む。位置合わせされた時点で、１つまたは複数のレーザパルスが、格子光学データパターン１０２（図１）から格子状に反射され、それによりレーザパルスが変調される。すなわち、光が格子光学データパターン１０２（図１）内のバンプ１０４（図１）に当たるか、ランド１０６（図１）に当たるかに応じて、その光は反射されるか、または分散されることになる。格子データパターン１０２（図１）に従って光を反射および分散することにより、レーザパルスが変調される。
【００２８】
ブロック５０４では、格子光学データパターンから反射された、変調されたレーザパルスが、たとえば光検出器アレイ２１２によって受光される。変調されたレーザパルスの受光は、ブロック５０６〜５０８によって示される例に従って行うことができる。ブロック５０６では、変調されたレーザパルスが偏光ビームスプリッタ２０６の中を通過する。図２、および図４のブロック４０８を手短に参照すると、偏光ビームスプリッタ２０６は光を光検出器アレイ２１２内に反射することが分かる。同様に、図３、および図５のブロック５０８を手短に参照すると、偏光ビームスプリッタ２０６によって、光が光検出器アレイ２１２の中を素通りできることが分かる。
【００２９】
ブロック５１０では、変調されたレーザパルスがデータ信号に復号化される。これは通常、アレイベース光学ヘッドコントローラ４００、たとえば光検出器アレイコントローラ４０６によって実行される。これは、ブロック５１２〜５１４の例に示されるように実行することができる。ブロック５１２では、格子光学データパターン１０２（図１）内のパターンが認識される。たとえば、パターンがＭ×Ｎアレイ１０２（図１に示される）である場合、各アレイの場所においてバンプ１０４およびランド１０６の存否が認識される。ブロック５１４では、認識されたパターンがデータ信号に関連付けられ、そのデータ信号が出力される。たとえば、Ｍ×Ｎアレイを構成する格子パターン１０２内のバンプ１０４およびランド１０６のそれぞれ取り得る組み合わせをデータおよび／またはデータ信号に関連付けることができる。さらに具体的な例として、４つの素子を有する２×２アレイは、０から１５の範囲の数（および対応する信号）に関連付けることができる。こうして、各パターンは、認識されるときに、出力されるデータおよびデータ信号に関連付けられる。
【００３０】
こうして、読出し動作では、レーザ光のパルスが、光学媒体上に画定される格子光学データパターンから反射される。したがって、レーザパルスはそれによって格子データパターンに基づく情報を含むように変調される。通常、パルスは偏光ビームスプリッタを通して誘導され、光検出器アレイに達する。光検出器アレイは、変調された光を復号化するように構成され、それにより読出しデータが得られる。
【００３１】
図６は、アレイベース光学ヘッド２００による書込み動作を実行するための方法６００の一例を示す流れ図である。ブロック６０２では、格子光学データパターン１０２（図１）が光学媒体上に画定されることになる場所が、光学ヘッド２００と位置合わせされる。位置合わせされると、レーザ２０２のパルスが放射され、ビームスプリッタ２０６を通してデジタル光プロセッサアレイ２０８にレーザ光が送られる。ＣＤまたはＤＶＤのような光ディスクが用いられる実施形態では、レーザのパルスを放射することは、媒体が回転するタイミング調節の過程の一部として実行される。アレイベース光学ヘッドの位置は、回転する光学媒体の半径に沿って調整される。光学媒体の回転速度およびアレイベースヘッドの半径方向位置が調整される。その後、レーザは、光学媒体上に画定される格子光学データパターンがアレイベース光学ヘッドと位置合わせされている時点でオンに切り替えられ、それ以外の時刻ではオフにされることが好ましい。ブロック６０４では、データが符号化され、それにより、書き込まれることになる格子光学データパターンが決定される。たとえば、参照テーブルを用いて、書き込まれることになるデータを、対応する格子光学データパターンと関連付けることができる。
【００３２】
ブロック６０６では、レーザパルスが、光学媒体に書き込まれることになる格子データパターンに従って変調される。これは、図２および図３に示されるハードウエアと同じようなハードウエアを用いて実行することができる。たとえば、ブロック６０８では、デジタル光プロセッサアレイを用いて、レーザパルスを処理することができ、デジタル光プロセッサアレイ２０８のマイクロミラーが、書き込まれることになる格子データパターンに従って、反射された光を変調するように設計される。たとえば、光学媒体に書き込まれることになるデータを用いることにより、個々のマイクロミラーが、レーザパルスを反射して偏光ビームスプリッタに戻すように、またはレーザパルスをシステムの外側に反射するように調整される。ブロック６１０では、変調されたレーザパルスが偏光ビームスプリッタ２０６（図２）を通過して、光学媒体に達する。光学媒体に接触すると、変調されたレーザパルスは光学媒体上に格子データパターン１０２（図１）を形成する。
【００３３】
こうして、書込み動作時に、光学媒体上にデータを「焼き付ける」前に、レーザ光のパルスがデジタル光プロセッサアレイから反射される。デジタル光プロセッサ内のマイクロミラーに適用される具体的な設定の結果として、光学媒体上に書き込まれることになるデータと一致する格子データパターンを光学媒体上に形成する情報を含むように、レーザパルスが変調される。
【００３４】
上記の開示は構造的な特徴および／または方法ステップに特有の言葉で説明されてきたが、添付の特許請求の範囲は、記載される具体的な特徴またはステップには限定されないことは理解されたい。むしろ、具体的な特徴およびステップは、本開示を実装する例示的な形態である。たとえば、流れ図のブロック内に記載される動作は、他のブロックに記載される動作と同時に実行されてもよく、別の順序で行われてもよく、または２つ以上の他のブロックと関連付けるようにして分散されてもよい。さらに、開示される方法の要素は任意の所望の方法で実行されることが意図されているが、通常アレイベース光ディスクドライブ内に配置されるコンピュータまたはプロセッサによって実行される、コンピュータ読取り可能命令および／またはプロセッサ読取り可能命令が用いられることは理解されよう。ＲＯＭ（リードオンリーメモリ）、ディスクまたはＣＤ−ＲＯＭのようなコンピュータ読取り可能媒体あるいはプロセッサ読取り可能媒体を用いることができるが、特定用途向け集積回路（ＡＳＩＣ）、ゲートアレイまたは類似のハードウエア構造を代わりに用いることもできる。
【図面の簡単な説明】
【００３５】
【図１】アレイベース光学ヘッドで読出し／書込みを行うように構成された光学媒体の等角図である。
【図２】アレイベース光学ヘッドの第１の例の概略図である。
【図３】アレイベース光学ヘッドの第２の例の概略図である。
【図４】図１および／または図２の例示的な実施形態で用いるようになっているコントローラのいくつかの例を示すブロック図である。
【図５】アレイベース光学ヘッドで読出し動作を実行するための方法の一例を示す流れ図である。
【図６】アレイベース光学ヘッドで書込み動作を実行するための方法の一例を示す流れ図である。
【符号の説明】
【００３６】
２００：アレイベース光学ヘッド
２０２：レーザ
２０４：コリメーティングレンズ
２０６：偏光ビームスプリッタ
２０８：デジタル光プロセッサアレイ
２１０：対物レンズ
２１２：光検出器アレイ
２１６、２１８：４分の１波長板
【図１】
2006107718.tif 000003
【図２】
2006107718.tif 000004
【図３】
2006107718.tif 000005
【図４】
2006107718.tif 000006
【図５】
2006107718.tif 000007
【図６】
2006107718.tif 000008